(57)【要約】【課題】流通段階での液漏れがなく、一旦取り外した後は再セットが不可能なバージン性の高いカバーが提供できる。【解決手段】操作レバー（２ｃ）を有するトリガー式液体噴出器の外観を覆うカバーにおいて、噴出器（２）本体の両サイドを容器（１）の少なくとも口部（１ａ）とともに囲む一対の側板（３ａ、３ｂ）と、この側板（３ａ、３ｂ）を相互につなぎ該噴出器の頭頂部を囲む上板（３ｃ）からなるものとする。そして、前記側板（３ａ、３ｂ）に、操作レバー（２ｃ）の背面側を通り抜けて相互に連結するとともに該操作レバー（２ｃ）の牽曳を阻止する連結手段（４）を設け、前記連結手段（４）に、側板（３ａ、３ｂ）の相互離反に伴って切断する弱化部（t）を形成する。【選択図】図１
2006088008.tif 000002
【特許請求の範囲】
【請求項１】
操作レバーを有するトリガー式液体噴出器の外観を覆うカバーであって、
前記液体噴出器の本体両サイドを容器の少なくとも口部とともに囲む一対の側板と、この側板を相互につなぎ該噴出器の頭頂部を囲む上板とを備え、
前記側板に、操作レバーの背面側を通り抜けて相互に連結するとともに該操作レバーの牽曳を阻止する連結手段を設け、
前記連結手段に、側板の相互離反に伴って切断する弱化部を形成してなる、ことを特徴とするトリガー式液体噴出器のカバー。
【請求項２】
前記側板は、噴出器の後端側にて相互に連結する連結手段を有する請求項１記載のカバー。
【請求項３】
前記側板及び上板は、インジェクション成形によって一体的に成形されたものである請求項１又は２記載のカバー。
【発明の詳細な説明】
【技術分野】
【０００１】
本発明は、操作レバーを牽曳することによって容器内の内容物を噴出させる液体噴出器のカバーに関するものであり、商品の流通段階での液漏れの防止を図るとともに、容器のバージン性をより一層高めようとするものである。
【背景技術】
【０００２】
トリガー式の液体噴出器は、噴射ノズルを配置したボディに、液体の吸引、加圧、圧送を司るポンプ機構が組み込まれており、操作レバーを牽曳することでピストンをシリンダー内で往復動させ、これによって容器内の内容物を効率的に噴出させることができるものであって、近年、住居用洗剤、黴取り剤や整髪剤、芳香剤等を入れた容器に多用されている。
【０００３】
この種の噴出器は、内容物が充填された容器に予めセットされた状態で商品として流通しているのが普通であり、流通段階における内容物の漏れや改ざん防止を図る観点から該噴出器にはそれを覆う紙製のカバーが配置されている（例えば特許文献１参照）。
【特許文献１】特開２００３─２９９９９２号公報
【０００４】
しかしながら、上記従来のカバーは、噴出器への取り付けが煩雑であるわりには簡単に外れてしまい、操作レバーに不用意な力が加わった場合に内容物が漏れ出てしまうおそれがある。また、再セットが可能であることから改ざんされた後に再びカバーが取り付けられた場合には、改ざんがあったかどうか判断しにくい。
【発明の開示】
【発明が解決しようとする課題】
【０００５】
本発明の課題は、噴出器を液漏れなしに確実に覆うことができ、一旦取り外した後は再取り付け（再セット）が不可能なバージン性の高いカバーを提案するところにある。
【課題を解決するための手段】
【０００６】
本発明は、操作レバーを有するトリガー式液体噴出器の外観を覆うカバーであって、
前記噴出器の本体両サイドを容器の少なくとも口部とともに囲む一対の側板と、この側板を相互につなぎ該噴出器の頭頂部を囲む上板とを備え、
前記側板に、操作レバーの背面側を通り抜けて相互に連結するとともに該操作レバーの牽曳を阻止する連結手段を設け、
前記連結手段に、側板の相互離反に伴って切断する弱化部を形成してなる、ことを特徴とするトリガー式液体噴出器のカバーである。
【０００７】
上記の構成になるカバーにおいて、前記側板は、噴出器の後端側にて相互に連結する連結手段を有するものが好ましい。
【０００８】
また、前記側板及び上板は、インジェクション成形によって一体的に成形することができる。
【発明の効果】
【０００９】
カバーを構成する側板は連結手段にてつながっており、簡単に外れることがない。また、連結手段は操作レバーの背面側に位置するため、カバーが装着されている限り操作レバーを牽曳することは不可能であり、該操作レバーに不用意な力が作用しても内容物が漏れ出ることはない。
【００１０】
さらに、容器を開封するに際して連結手段を弱化部から切り離すとカバーは再セットすることができず、改ざんされているか、あるいはその可能性があるかが一目で把握できる。
【発明を実施するための最良の形態】
【００１１】
以下、図面を参照して本発明をより具体的に説明する。
図１は本発明にしたがうカバーをトリガー式液体噴出器に取り付けた状態で示したものであり、図２は該カバーの展開図である。
【００１２】
図における１は内容物を充填する容器、２は容器１の口部１ａにねじあるいはアンダーカットの如き係合手段にて装着されたトリガー式液体噴出器である。
【００１３】
液体噴出器２はポンプ機構を組み込んだボディ２ａ（ポンプ機構を組み込んだボディ２ａ外側にシュラウドを取り付けた構造のものを含む）と、このボディ２ａにつながる噴射ノズル２ｂと、ボディ２ａ内のポンプ機構を作動させて容器１内の内容物を吸引、加圧、圧送して噴射ノズル２ｂより噴出させる操作レバー２ｃを備える。
【００１４】
また、３は液体噴出器２を覆うカバーである。このカバー３は液体噴出器２の本体両サイドを容器１の少なくとも口部１ａとともに囲む一対の側板３ａ、３ｂと、この側板３ａ、３ｂを相互につなぎ該噴出器２の頭頂部を囲む上板３ｃからなる。
【００１５】
また、４はカバー３に一体的に設けられた連結手段であって、この連結手段４は操作レバー２ｃの背面側を通り抜けて側板３ａ、３ｂ同士を連結するもので、図３にその要部を図解して示す如く、貫通孔を有する凸部４ａと、この凸部４ａの貫通孔にはめ殺し状態で嵌合する楔状の頭部を有しその首部を薄肉の弱化部ｔとした凸部４ｂからなる。
【００１６】
さらに、５はカバー３に一体的に設けられ、噴出器２の後端側にてカバー３の側板３ａ、３ｂ同士を連結する連結手段である。この連結手段５は、図４に示すように、孔を有する凸部５ａと、この凸部５ａの孔に嵌入する凸部５ｂからなっている。
【００１７】
成形直後におけるカバー３は図２に示すようにシート状を呈するもので、各側板３ａ、３ｂと上板３ｃの境界を折り曲げて液体噴出器２に被せるとともに、連結手段４、５にて側板３ａ、３ｂ同士を相互に連結することでカバー３の取り付けを完了する。
【００１８】
カバー３が取り付けられた状態では、操作レバー２ｃの牽曳は連結手段４によって阻止されるため、操作レバー２ｃに不用意な力が作用しても内容物が漏れだすことはない。また、カバー３は容器１の少なくとも口部１ａを囲むように液体噴出器２に取り付けるため、カバー３を取り外さない限り容器１から液体噴出器２を取り外すことも不可能となる。
【００１９】
液体噴出器２を使用する際には、カバー３の側板３ａ、３ｂの下端をつかんで相互に離間させると、凸部４ｂに設けた薄肉の弱化部ｔが切断され、これによりカバー３の取り外しが可能となる。凸部４ｂにおいて弱化部ｔが切断されると連結手段４は再度連結することはできない。
【００２０】
カバー３は合成樹脂を用いインジェクション成形によって一体的に成形することができるもので、連結手段４、５の成形が可能ならば他の成形法を適用してもよい。
【００２１】
連結手段４については、弱化部ｔを設けてそれを切断することによりカバー３を取り外す構成を示したが、側板３ａ、３ｂの連結が可能で、カバー３の取り外し後に再セットできない構造のものであれば図５に示すような構造のものでもよい。さらに、弱化部ｔについては、図示のものから当該部分にノッチを入れるなどさらに薄肉に形成することも可能である。
【００２２】
側板３ａ、３ｂ及び上板３ｃは噴射ノズル２ｂを含めたその全体を覆う図６のような形状としてもよく、この場合には、商品の流通過程で噴射ノズル２ｂに不用意な力が付加されても簡単に破損することがない。
【００２３】
なお、図１から図６に示したように、カバー３を液体噴出器２の上面から側面にわたって取り付けることで、落下等の衝撃をカバー３にて吸収することも可能であり、これにより直接液体噴出器２に負荷がかかるのを防止し、機能不良等の発生を回避する効果も有する。
【産業上の利用可能性】
【００２４】
商品の流通段階における液漏れを防止することが可能で、改ざんあるいはそのおそれがあるかどうか明瞭に把握できるカバーが提供できる。
【図面の簡単な説明】
【００２５】
【図１】本発明にしたがうカバーの実施の形態を示した図である。
【図２】図１に示したカバーの展開図である。
【図３】図１に示したカバーの要部の断面を示した図である。
【図４】図１に示したカバーの要部の断面を示した図である。
【図５】連結手段の他の構成例を示した図である。
【図６】本発明にしたがうカバーの他の実施の形態を示した図である。
【符号の説明】
【００２６】
１  容器
１ａ  口部
２  トリガー式液体噴出器
２ａ  ボディ
２ｂ  噴射ノズル
２ｃ  操作レバー
３  カバー
３ａ  側板
３ｂ  側板
３ｃ  上板
４  連結手段
４ａ  凸部
４ｂ  凸部
５  連結手段
５ａ  凸部
５ｂ  凸部
t  弱化部
【図１】
2006088008.tif 000003
【図２】
2006088008.tif 000004
【図３】
2006088008.tif 000005
【図４】
2006088008.tif 000006
【図５】
2006088008.tif 000007
【図６】
2006088008.tif 000008